【事件の表示】
　特願２０００−５３１７０５「記録ヘッドの浮上量を決定する方法と装置」拒絶査定不服審判事件〔平成１１年　８月１９日国際公開、ＷＯ９９／４１５６６、平成１４年　２月　５日国内公表、特表２００２−５０３８０１〕について、次のとおり審決する。
【結　論】
　本件審判の請求は、成り立たない。
【理　由】
１．手続きの経緯
　本願は、１９９８年９月２９日（パリ条約による優先権主張外国庁受理１９９８年２月１７日、米国）を国際出願日とする出願であって、平成２１年４月２日付け（発送日同年４月７日）で拒絶査定がなされ、これに対し、平成２１年８月７日に拒絶査定に対する審判請求がなされ、同日付で手続補正がなされたものである。
　
　
２．本願発明について
　本願の請求項１に係る発明は、平成２１年８月７日付け手続補正書の特許請求の範囲の請求項１に記載された事項により特定されるとおりのものであるところ、その請求項１に係る発明（以下、「本願発明」という。）は次のとおりである。
　
「【請求項１】　記憶ディスク上のスライダの浮上量を測定する浮上量測定システムであって、
　１つの光路に沿った光を生成する光源と、
　該光源からの光が対物レンズに当たって、固体浸漬レンズに向けられ、エバネッセント結合で近フィールドを通じてディスクの表面に結合されるように配置された１つの前記対物レンズと前記ディスク表面に直接面している前記固体浸漬レンズを含んでいるスライダと、
　ディスクから反射された光を受信する検出器モジュールと、
　検出器モジュールの出力に基づいてスライダの浮上量を推定するプロセッサとを含んでいる浮上量測定システム。」
　
　
３．引用例記載の発明
　当審において、平成２０年１１月６日付けで通知した拒絶の理由に引用された、本願の優先権主張の日前である１９９６年３月５日に頒布された米国特許第５４９７３５９号明細書（以下、「引用例1」という。）には、図面とともに、
　
（１−１）「[57]　　ABSTRACT
An optical disk drive has an air-beating slider formed of transparent material and located adjacent the surface of the optical disk. In the manner of conventional magnetic disk drives, the slider is maintained in close relationship with the disk surface by an air-bearing generated by the rotating disk and the shape of the slider's air-bearing surface (ABS). The slider has a lens section located on its back side opposite the side with the ABS. In the preferred embodiment the lens section is at least a hemisphere and the lens section and slider are formed of the same material and thus have the same index of refraction, n. The lens section and slider are transparent to light from the disk drive's light source and together form a super-hemispherical solid immersion lens (SIL). The slider's ABS is maintained within one wavelength of the surface of the optical disk. The light from the disk drive's light source is focused by the super-hemispherical SIL to a point on the slider ABS. The light is coupled through the air-bearing gap via the evanescent field to the data layer on the optical disk. The focused spot size on the disk data layer is thus reduced by a factor of n2　from what it would otherwise be without the super-hemispherical SIL provided by the lens section and transparent slider.」
（[57]　アブストラクト
光ディスクドライブは、透明な材料で形成され、オプティカルディスクの表面に近接して配置されたエアービーティングスライダを有している。従来の磁気ディスクドライブの態様では、スライダは、ディスクの回転及びスライダのエアービーティング表面（ABS）の形状によって発生するエアービーティングによって、ディスク表面と近接関係に維持される。スライダは、ABSの側とは反対側のスライダ背面に位置するレンズ部を有している。好ましい実施例として、レンズ部は、少なくとも、半球体であり、レンズ部及びスライダは、同じ材料で形成され、これにより、同じ屈折率ｎを持つ。レンズ部及びスライダは、ディスクドライブの光源からの光に対して透明であり、一体となって、超半球状の固体浸漬レンズ（SIL）を形成する。スライダのABSは、光ディスク表面から波長以内に維持される。ディスクドライブの光源からの光は、超半球状のSILによって、スライダABS上の一点にフォーカスされる。その光は、エバネッセントフィールドを経由することによって、エアービーティングギャップを通過して、光ディスク上のデータ層に結合される。ディスクのデータ層上にフォーカスされた点のサイズは、こうして、それが、レンズ部及び透明のスライダによって与えられる超半球状のSILがないとき、他の大きさになるであろうものから、ｎ２のファクタだけ減少する。）
　　
（１−２）「Thus the hemispherical lens section 102 and the body of transparent slider 100 together form a super-hemispherical SIL.」（カラム５、３〜５行）
（半球レンズ部102と透明スライダ100のボディが一緒になって超半球SILを形成する。）
　
（１−３）「It is possible to avoid the need for a focus servo and a movable focus lens by placement of the laser and the focus lens directly on the slider. Such an embodiment is shown in FIG. 8. A laser diode and photodetector assembly 300 is mounted on the slider 100' above the lens section 102'. The assembly 300 is held in place on slider 100' by support 301. A separate focusing objective lens 302 is located between assembly 300 and lens section 102' such that the diverging beam emitted from the laser is focused onto the base of the super-hemispherical SIL (the ABS of slider 102').」（カラム７、４０〜４９行）
（スライダ上へのレーザ及びフォーカスレンズの直接配置によって、フォーカスサーボ及び移動可能なフォーカスレンズの要求を避けることが可能である。そのような実施例が、FIG8.に示されている。レーザダイオード及び光検出器センブリ300は、レンズ部102'上方、スライダ100'上に載置されている。アセンブリ300は、サポート301によって、スライダ100'上に位置決めされている。分離フォーカス対物レンズ302は、レーザから放射される拡散ビームが、超半球状SILのベース（スライダ100'のABS）上にフォーカスするように、アセンブリ300とレンズ部102'の間に位置している。）
　
が記載されている。
　
　そして、これらの記載から、引用例１には、次のとおりの発明、
　
【引用例１に記載された発明】
「光ディスク（記憶ディスクに相当。）上のスライダ100'（スライダに相当。）を有する光ディスクドライブ（スライダの浮上量を測定する浮上量測定システムに対応。）であって、
　１つの光路に沿った光を生成するレーザダイオード（光源に相当。）と、
　該レーザダイオード（光源に相当。）からの光（光に相当。）が対物レンズ302（対物レンズに相当。）に当たって、半球体のレンズ部102'及びスライダ100'が一体となった超半球状の固体浸漬レンズ（SIL）（固体浸漬レンズに相当。）に向けられ、エバネッセントフィールドを経由することによって（エバネッセント結合で近フィールドを通じてに相当。）光ディスク（ディスクに相当。）のデータ層（表面に相当。）に結合（結合に相当。）されるように位置している（配置されたに相当。）１つの前記対物レンズ302（対物レンズに相当。）と前記光ディスクデータ層（ディスク表面に相当。）に直接面している前記固体浸漬レンズ（SIL）（固体浸漬レンズに相当。）を含んでいるスライダ100'（スライダに相当。）と、
　光ディスク（ディスクに相当。）から反射された光を受信する光検出器アセンブリ300（検出器モジュールに相当。）と、
　を含んでいる光ディスクドライブ。」（以下、これを「引用例１に記載された発明」という。）
　
が記載されていると認められる。
　
　
４．対比・判断
　本願発明と引用例１に記載された発明とを対比する。
　引用例１に記載された発明における「光ディスク」、「スライダ100'」、「レーザーダイオード」、「光」、「対物レンズ302」、「半球体のレンズ部102'及びスライダ100'が一体となった超半球状の固体浸漬レンズ（SIL）」、「エバネッセントフィールドを経由することによって」、「光ディスク」、「データ層」、「結合」、「位置している」、「ディスクデータ層」、「光検出器アセンブリ300」は、それぞれ、
　本願発明における「記憶ディスク」、「スライダ」、「光源」、「光」、「対物レンズ」、「固体浸漬レンズ」、「エバネッセント結合で近フィールドを通じて」、「ディスク」、「表面」、「結合」、「配置された」、「ディスク表面」、「検出器モジュール」
に相当する。
　
　したがって、両者は、
　
【一致点】
「記憶ディスク上のスライダを有するディスクドライブであって、
　１つの光路に沿った光を生成する光源と、
　該光源からの光が対物レンズに当たって、固体浸漬レンズに向けられ、エバネッセント結合で近フィールドを通じてディスクの表面に結合されるように配置された１つの前記対物レンズと前記ディスク表面に直接面している前記固体浸漬レンズを含んでいるスライダと、
　ディスクから反射された光を受信する検出器モジュールと、
　を含んでいるディスクドライブ。」
　  
で一致し、
　
【相違点１】
「本願発明では、スライダの浮上量を測定する浮上量測定システムが、
　検出器モジュールの出力に基づいてスライダの浮上量を推定するプロセッサを含んでいるのに対して、
　引用例１に記載の発明では、光ディスクドライブ（スライダの浮上量を測定する浮上量測定システムに対応。）が、
　光検出器アセンブリ300（検出器モジュールに相当。）の出力に基づいてスライダ100'（スライダに相当。）の浮上量を推定するプロセッサを含んでいない点」、
　
で相違する。
　
　そこで、上記【相違点１】について検討する。
　同じく、当審において、平成２０年１１月６日付けで通知した拒絶の理由に引用された、本願の優先権主張の日前である平成９年６月６日に頒布された特開平９−１４５３２８号公報（以下、「引用例２」という。）には、図面とともに、
　
（２−１）「【０００７】
【発明の実施の形態】本発明の該１の実施例を図１および図２を用いて説明する。図１は本発明の全体構成を示した斜視図であり、図２は図１における測定主要部を示した側面図である。図１で、１は磁気ヂスク、２はセンサ測定部１２と一体となっている磁気ヘッド・スライダ、３は磁気ヘッド・スライダを支持するロードアーム、７はロードアーム３を取り付けるガイドアーム、４は発光素子５から発振された光束１０およびセンサ測定部１２からの光束１１を反射される直角プリズム、８は発光素子５を駆動するための回路、９は発光素子６からの信号から浮上量を求める回路、１３は光束１０および１１をセンサ測定部から入力させるための回折素子である。
【０００８】このように構成された本発明第１の実施例について、その動作を説明する。図１で、ガイドアーム７はロードアーム３が取り付けてある部分からロードアーム３上に磁気ヘッド・スライダ２まで突き出ている。ガイドアーム７の上部には直角プリズム４、発光素子５、発光素子６が搭載されている。発光素子５から発振された光束１０は直角プリズム４で反射して磁気ヘッド・スライダ２に形成されたセンサ測定部１２に図２に示す回折格子１３によって入射角θが臨界角以上になるように入射される。入射角θが臨界角以上では光は全反射される。このとき、センサ測定部１２と空気の境界にはエバネッセント光が光の波長程度の領域まで空気側にしみ出している。センサ測定部１２と磁気ディスク１の浮上量が十分大きな場合には光束１０は全反射して回折格子１３で回折されたのち直角プリズムで反射されて受光素子６へ光束１１として導かれる。このときの光束１１の光量をＬ１ とする。しかし、磁気ディスク１とセンサ測定部１２の浮上量が光の波長程度以下となりエバネッセント波がしみ出た領域に達すると光束１０が磁気ディスク１に吸収されて光束１１の光量が図３のように浮上量に対して変化する。この光学現象をフラストレーティッド・トータル・リフレクション(以下ＦＴＲ)という。逆にＦＴＲ時の光束１１の光量をＬ２　とすると、Ｌ２　とＬ１ を受光素子６で検出して浮上量演算回路９でＬ２ ／Ｌ１ を求めることで浮上量が測定できる。」
　
が記載されている。
　
　そして、この記載から、引用例２には、次のとおりの事項、
　
【引用例２に記載された技術事項】
「ディスクドライブが、受光素子の出力に基づいてスライダの浮上量を測定する浮上量演算回路９を含んでいる。」（以下、これを「引用例２に記載された技術事項」という。）
　
が記載されていると認められる。
　
　したがって、引用例１に記載された発明に上記引用例２に記載された技術事項を適用して、
　その光ディスクドライブを、光検出器アセンブリ300（検出器モジュールに相当。）の出力に基づいてスライダ100'（スライダに相当。）の浮上量を測定（推定に相当。）する浮上量演算回路９（プロセッサに相当。）を含むように構成し、
　スライダ100'（スライダに相当。）の浮上量を測定する浮上量測定システムとすることは、当業者が容易になし得ることである。
　
　そして、本願発明の効果は、引用例１に記載された発明及び引用例２に記載された技術事項に基づいて当業者が予測可能な範囲のものである。
  
　
５．むすび
　以上のとおり、本願発明は、引用例１に記載された発明及び引用例２に記載された技術事項に基づいて当業者が容易に発明をすることができたものであるから、特許法第２９条第２項の規定により特許を受けることができない。
　そして、本願発明が、特許を受けることができないものであるから、その余の請求項２〜１８に係る発明について検討するまでもなく、本願は拒絶すべきである。
　よって、結論のとおり審決する。